(57)【要約】本発明は殺菌パッド、殺菌パッドの製造方法、殺菌パッドを備えた便座及び便器の殺菌方法に関し、詳細には、温度が上昇することにより、殺菌物質の放出が促進される殺菌パッド、殺菌パッドの製造方法、殺菌パッドを備えた便座及び便器の殺菌方法に関する。本発明の殺菌パッドは、所定の大きさの気孔空隙を有するポリウレタンフォームと、内部に殺菌物質を収容し、ポリウレタンフォームの気孔空隙に閉じ込められたマイクロカプセルと、からなることが好ましい。本発明の殺菌パッドを備えた便座は、便器に装着される構造を有する便座本体と、便座本体を開閉するように便座本体に連結され、温度が上昇すると殺菌物質の外部への放出が促進される殺菌パッドが備えられた便座カバーとを含むことが好ましい。【選択図】図２
2014507193.tif 000002
【特許請求の範囲】
【請求項１】
所定の大きさの気孔空隙を有するポリウレタンフォームと、
内部に殺菌物質を収容し、前記ポリウレタンフォームの前記気孔空隙内に閉じ込められるよう前記ポリウレタンフォームの表面にコーティングされたマイクロカプセルと、
からなることを特徴とする殺菌パッド。
【請求項２】
前記マイクロカプセルは、
３μｍ〜１０μｍの粒径で中空のカプセル形状を有するシリカゲルと、
前記シリカゲルの内部に充填された前記殺菌物質と、
からなることを特徴とする、請求項１に記載の殺菌パッド。
【請求項３】
前記殺菌物質は、プロポリス抽出物であることを特徴とする、請求項２に記載の殺菌パッド。
【請求項４】
前記シリカゲルは、前記気孔が多孔質であり、前記殺菌パッドが加熱されると、前記殺菌物質の外部への放出を促進するために前記気孔が拡大する構造を有することを特徴とする、請求項２に記載の殺菌パッド。
【請求項５】
前記ポリウレタンフォームは、１０μｍ〜５００μｍの気孔空隙を有することを特徴とする、請求項１に記載の殺菌パッド。
【請求項６】
前記ポリウレタンフォームは、１０μｍ〜１２０μｍの気孔空隙を有することを特徴とする、請求項１に記載の殺菌パッド。
【請求項７】
前記ポリウレタンフォームは８０μｍ〜１２０μｍの気孔空隙を有することを特徴とする、請求項１に記載の殺菌パッド。
【請求項８】
耐久性を増加させるために前記ポリウレタンフォームと前記マイクロカプセルとの接着性を向上させる固着用バインダーをさらに含むことを特徴とする、請求項１〜７の何れか１項に記載の殺菌パッド。
【請求項９】
前記固着用バインダーは、シランカップリング剤であることを特徴とする、請求項８に記載の殺菌パッド。
【請求項１０】
前記殺菌物質は、プロポリス抽出物であり、
前記マイクロカプセルは、前記プロポリス抽出物を２０，０００ｐｐｍ〜５０，０００ｐｐｍの含量で収容することを特徴とする、請求項８に記載の殺菌パッド。
【請求項１１】
ａ）プロポリス抽出物を用いてゾルゲル反応法によりマイクロカプセルを生成する段階と、
ｂ）前記マイクロカプセルをポリウレタンフォームの表面にコーティングする段階と、
を含むことを特徴とする、殺菌パッドの製造方法。
【請求項１２】
ａ）プロポリス抽出物を用いてゾルゲル反応法によりマイクロカプセルを生成する段階と、
ｂ−１）前記マイクロカプセルと固着用バインダーを混合して混合溶液を生成し、前記混合溶液をポリウレタンフォームの表面にコーティングする段階と、
を含むことを特徴とする、殺菌パッドの製造方法。
【請求項１３】
前記固着用バインダーは、シランカップリング剤であることを特徴とする、請求項１２に記載の殺菌パッドの製造方法。
【請求項１４】
前記マイクロカプセルは、前記プロポリス抽出物を２０，０００ｐｐｍ〜５０，０００ｐｐｍの含量で収容することを特徴とする、請求項１１に記載の殺菌パッドの製造方法。
【請求項１５】
前記プロポリス抽出物は、熱湯比重分離法によって蜂の巣から蜜蝋を除去した後、真空超音波抽出法により抽出されることを特徴とする、請求項１１〜１４の何れか１項に記載の殺菌パッドの製造方法。
【請求項１６】
前記マイクロカプセルは、３μｍ〜１０μｍの粒径を有することを特徴とする、請求項１１〜１４の何れか１項に記載の殺菌パッドの製造方法。
【請求項１７】
前記ポリウレタンフォームは、１０μｍ〜５００μｍの気孔空隙を有することを特徴とする、請求項１１〜１４の何れか１項に記載の殺菌パッドの製造方法。
【請求項１８】
前記ポリウレタンフォームは１０μｍ〜１２０μｍの気孔空隙を有することを特徴とする、請求項１１〜１４の何れか１項に記載の殺菌パッドの製造方法。
【請求項１９】
前記ポリウレタンフォームは８０μｍ〜１２０μｍの気孔空隙を有することを特徴とする、請求項１１〜１４の何れか１項に記載の殺菌パッドの製造方法。
【請求項２０】
前記マイクロカプセルは、プロポリス抽出物、テトラエチルオルトシリケート（ＴＥＯＳ）、及び部分加水分解されたシラン化合物が含まれた混合液を、酸またはアルカリが溶解され且つプロポリス抽出物と反対の極性を有する溶液に乳化分散させて、界面でゾルゲル反応を起こさせてプロポリス抽出物をカプセル化することにより生成されることを特徴とする、請求項１１〜１４の何れか１項に記載の殺菌パッドの製造方法。
【請求項２１】
前記ｂ）段階またはｂ−１）段階は、噴射法または含浸法により行われることを特徴とする、請求項１１〜１４の何れか１項に記載の殺菌パッドの製造方法。
【請求項２２】
前記ｂ）段階は、
前記ポリウレタンフォームに膨張剤を含むアルコールを噴射して前記ポリウレタンフォーム内の気孔空隙の大きさを拡張させる前処理段階と、
前処理したポリウレタンフォームに前記マイクロカプセルを噴射し、または、含浸させる段階と、
前記噴射または含浸処理したポリウレタンフォームを乾燥させる段階と、
を含むことを特徴とする、請求項１１に記載の殺菌パッドの製造方法。
【請求項２３】
前記ｂ−１）段階は、
前記ポリウレタンフォームに膨張剤を含むアルコールを噴射して前記ポリウレタンフォーム内の気孔空隙の大きさを拡張させる前処理段階と、
前処理したポリウレタンフォームに前記マイクロカプセルと前記シランカップリング剤の混合溶液を噴射し、または、含浸させる段階と、
前記噴射または含浸処理したポリウレタンフォームを乾燥させる段階と、
を含むことを特徴とする、請求項１２項に記載の殺菌パッドの製造方法。
【請求項２４】
便器に装着される構造を有する便座本体と、
前記便座本体を開閉するように前記便座本体に連結され、温度が上昇すると、殺菌物質の外部への放出が促進される殺菌パッドが備えられた便座カバーと、
を含む殺菌パッドを備えた便座。
【請求項２５】
前記殺菌パッドは、一面が前記便座カバーの内面に付着され、気孔空隙を有するポリウレタンフォームと、
内部に殺菌物質を収容し、前記ポリウレタンフォームの前記気孔空隙に閉じ込められるマイクロカプセルと、
からなることを特徴とする、請求項２４項に記載の殺菌パッドを備えた便座。
【請求項２６】
便器に装着される構造を有する便座本体と、
前記便座本体を開閉するように前記便座本体に連結され、内部に殺菌物質を収容するマイクロカプセルがコーティングされた殺菌パッドが備えられた便座カバーと、
を含む殺菌パッドを備えた便座。
【請求項２７】
前記殺菌パッドは、一面が前記便座カバーの内面に付着され、気孔空隙を有するポリウレタンフォームを備えており、前記マイクロカプセルが、前記ポリウレタンフォームの気孔空隙に閉じ込められていることを特徴とする、請求項２６項に記載の殺菌パッドを備えた便座。
【請求項２８】
前記ポリウレタンフォームは、１０μｍ〜５００μｍの気孔空隙を有することを特徴とする、請求項２５〜２７の何れか１項に記載の殺菌パッドを備えた便座。
【請求項２９】
前記ポリウレタンフォームは、１０μｍ〜１２０μｍの気孔空隙を有することを特徴とする、請求項２５〜２７の何れか１項に記載の殺菌パッドを備えた便座。
【請求項３０】
前記ポリウレタンフォームは、８０μｍ〜１２０μｍの気孔空隙を有することを特徴とする、請求項２５〜２７の何れか１項に記載の殺菌パッドを備えた便座。
【請求項３１】
前記マイクロカプセルは、
３μｍ〜１０μｍの粒径を有し、内部が中空のカプセル形状であるシリカゲルと、
前記シリカゲルの内部に充填された殺菌物質と、
からなることを特徴とする、請求項２５〜２７の何れか１項に記載の殺菌パッドを備えた便座。
【請求項３２】
前記殺菌物質は、プロポリス抽出物であることを特徴とする、請求項３１に記載の殺菌パッドを備えた便座。
【請求項３３】
前記シリカゲルは、気孔を有しており、
前記便座本体に内蔵されたヒーター部により前記便座カバーが加熱されると、前記殺菌物質の外部への排出を促進するために前記気孔が拡大する構造を有することを特徴とする、請求項３１に記載の殺菌パッドを備えた便座。
【請求項３４】
前記殺菌パッドは、耐久性を増加させるために前記ポリウレタンフォームと前記マイクロカプセルとの接着性を向上させる固着用バインダーをさらに含むことを特徴とする、請求項２５〜２７の何れか１項に記載の殺菌パッドを備えた便座。
【請求項３５】
前記固着用バインダーは、シランカップリング剤であることを特徴とする、請求項３４に記載の殺菌パッドを備えた便座。
【請求項３６】
前記殺菌物質は、プロポリス抽出物であり、
前記マイクロカプセルは、前記プロポリス抽出物を２０，０００ｐｐｍ〜５０，０００ｐｐｍの含量で収容することを特徴とする、請求項３４に記載の殺菌パッドを備えた便座。
【請求項３７】
ａ）前記便座本体に連結された制御ユニットに殺菌動作命令が入力される段階と、
ｂ）前記制御ユニットに殺菌動作命令が入力されると、前記殺菌パッドが所定の温度に到逹し、前記殺菌パッドから殺菌物質が放出され、放出された殺菌物質が前記便器の内部に拡散されて、前記殺菌物質により前記便座本体及び便器が殺菌されるように、前記制御ユニットの作動により前記便座本体に内蔵されたヒーター部が加熱される段階と、
を含むことを特徴とする、便器の殺菌方法。
【請求項３８】
前記ａ）段階において、
前記制御ユニットは、
前記便座カバーが前記便座本体の上部に重ねられるように覆われた状態で殺菌動作を行い、
前記便座カバーが前記便座本体の上部に重ねられるように覆われていない状態では殺菌動作を行わないように作動することを特徴とする、請求項３７に記載の便器の殺菌方法。
【請求項３９】
前記ｂ）段階後、
ｃ）前記制御ユニットに殺菌停止命令を入力するか、または前記制御ユニットに既設定の所定時間が経過した後に、前記ヒーター部の作動を中止して前記殺菌パッドからの殺菌物質の放出を停止させる段階、
をさらに含むことを特徴とする、請求項３７に記載の便器の殺菌方法。
【発明の詳細な説明】
【技術分野】
【０００１】
本発明は、殺菌パッド、殺菌パッドの製造方法、殺菌パッドを備えた便座及び便器の殺菌方法に関し、特に、温度が上昇することによって殺菌物質の放出が促進される殺菌パッド、そのような殺菌パッドの製造方法、殺菌パッドを有する便座、及び便器の殺菌方法に関する。
【背景技術】
【０００２】
一般に、トイレに入ったときに、トイレ自体の雰囲気が清潔であっても、多くの人が使用し、管理が乏しく、またトイレの特性上細菌が繁殖することから、トイレが汚染されている可能性があるので、直ぐに便器に座るのは気後れする。
【０００３】
便器をより清潔に使用するための技術として、従来は、トイレットペーパーを部分的にちぎって便座を拭いたり、トイレットペーパーを便座に敷いて座ることが選択されてきた。
【０００４】
また、紙と生分解合成樹脂を用いて便座の形に切り取って作った衛生シートがこれまで商業的に使用されていた。しかしながら、このような衛生シートは、非常に薄いので、便座の冷たい感触がユーザに伝わって、ユーザが不快感を感じることがある。
【０００５】
最近の研究によると、女性の９０％以上が便座に直接座らないという。トイレットペーパーは広く使用されるようになってきており、ほとんどの各家庭で見ることができるが、便座カバーシートは、例えば病院や、空港、ホテルなど、限られた公共の所でしか見当たらない。
【０００６】
便座カバーシートの商業的な適用の拡散を阻害する要因は幾つかある。その一つには、個々に折り畳まれた便座カバーシートを包装して保管することから、一般にその製造費用が高くなることにある。また、便座カバーシートを収容するディスペンサーの体積が比較的大きいことから、この便座カバーシート用のディスペンサーを収容するためにトイレが十分なスペースを有していなければならないことにある。これらの理由により、一般の人や例えばレストランなどのような小規模の公共の場のオーナは、体積が大きくて高価である便座カバーシートを購入したがらない。
【０００７】
ところで、今日ではビデが益々普及してきており、そのために、ユーザは、トイレを快適に、清潔な環境で使用することができる。しかしながら、公共の場や家庭でビデを使用する場合、清浄度が問題視されている。
【０００８】
従って、便器または便器に設置されたビデを使用するときに、殺菌パッドを備えた便座を簡単により衛生的に殺菌処理できる方法が、依然として求められている。そのため、便座を容易に殺菌するために、殺菌物質を有する殺菌パッドが求められている。
【先行技術文献】
【特許文献】
【０００９】
【特許文献１】韓国特許公開公報２００３−００６４１２６号
【発明の概要】
【発明が解決しようとする課題】
【００１０】
本発明は、前記従来問題点を解決するために提案されたもので、温度が上昇することによって殺菌物質の放出を促進して周辺器機を殺菌し、耐久性に優れて長い使用寿命を有する殺菌パッドと、殺菌パッドの製造方法を提供することを目的とする。
【００１１】
また、本発明は、殺菌パッドを便座カバーに付着することにより、特に殺菌装置がなくても、便座と便器に現れる細菌を殺菌することができる殺菌パッドを備えた便座と、便器の殺菌方法を提供することを目的とする。
【００１２】
また、本発明は、切離すシートを使用することなく、殺菌パッドを備えた便座を使用する場合に、便器カバー、特にビデが設置された便器カバーに殺菌パッドを付着させることによって、所定の温度に便座カバーを加熱して殺菌物質の外部への放出を促進させて、放出された殺菌物質により、殺菌パッドを備えた便座及び便器を殺菌することができる殺菌パッドを備えた便座と、便器の殺菌方法を提供することを目的とする。
【課題を解決するための手段】
【００１３】
本発明は、所定の大きさの気孔空隙を有するポリウレタンフォームと、内部に殺菌物質が収容されており、前記ポリウレタンフォームの前記気孔空隙に担持されて前記ポリウレタンフォームの表面に層を形成するマイクロカプセルと、からなることを特徴とする殺菌パッドを提供する。
【００１４】
前記マイクロカプセルは、３μｍ〜１０μｍの粒径を有し、内部が中空のカプセル形状であるシリカゲルと、前記シリカゲルの内部に充填された前記殺菌物質と、からなることが好ましい。
【００１５】
前記殺菌物質は、プロポリス抽出物であることがより好ましい。
【００１６】
一方、前記シリカゲルは、前記気孔が多孔質の構造を有し、前記殺菌パッドが加熱されると、前記殺菌物質の外部への放出が促進されるように、前記気孔が拡大する構造を有することが好ましい。
【００１７】
前記ポリウレタンフォームは、１０μｍ〜５００μｍの気孔空隙が形成されていることが好ましい。
【００１８】
前記ポリウレタンフォームは、１０μｍ〜１２０μｍの気孔空隙が形成されていることが好ましい。
【００１９】
前記ポリウレタンフォームは、８０μｍ〜１２０μｍの気孔空隙が形成されていることが好ましい。
【００２０】
一方、前記殺菌パッドは、耐久性を増加させるために、前記ポリウレタンフォームと前記マイクロカプセルの接着性を向上させる固着用バインダーをさらに含むことが好ましい。
【００２１】
前記固着用バインダーは、シランカップリング剤であることが好ましい。
【００２２】
このなかで、前記殺菌物質はプロポリス抽出物であり、前記マイクロカプセルは前記プロポリス抽出物を２０，０００ｐｐｍ〜５０，０００ｐｐｍの含量量を含むことが好ましい。
【００２３】
また、他の側面として、本発明は、ａ）プロポリス抽出物を用い、ゾルゲル反応法によりマイクロカプセルを生成する段階と、ｂ）前記マイクロカプセルをポリウレタンフォームの表面にコーティングする段階と、を含むことを特徴とする殺菌パッドの製造方法を提供する。
【００２４】
一方、本発明は、ａ）プロポリス抽出物を用い、ゾルゲル反応法によりマイクロカプセルを生成する段階と、ｂ−１）前記マイクロカプセルと固着用バインダーを混合して混合溶液を生成して、前記混合溶液をポリウレタンフォームの表面にコーティングする段階と、を含むことを特徴とする殺菌パッドの製造方法を提供する。
【００２５】
前記固着用バインダーは、シランカップリング剤であることが好ましい。
【００２６】
前記マイクロカプセルは、前記プロポリス抽出物を２０，０００ｐｐｍ〜５０，０００ｐｐｍの含量で含むことがより好ましい。
【００２７】
前記プロポリス抽出物は、熱湯比重分離法によって蜂の巣から蜜蝋を除去した後、真空超音波抽出法により抽出されることが好ましい。
【００２８】
前記マイクロカプセルは、３μｍ〜１０μｍの粒径を有することが好ましい。
【００２９】
前記ポリウレタンフォームは、１０μｍ〜１２０μｍの気孔空隙を形成することが好ましい。
【００３０】
前記ポリウレタンフォームは、８０μｍ〜１２０μｍの気孔空隙を形成することが好ましい。
【００３１】
前記ポリウレタンフォームは、１０μｍ〜５００μｍの気孔空隙を形成することが好ましい。
【００３２】
一方、前記マイクロカプセルは、プロポリス抽出物と、テトラエチルオルトシリケート（ＴＥＯＳ）と、部分加水分解されたシラン化合物とを含む混合液を、酸またはアルカリが溶解されてプロポリス抽出物と反対の極性を有する溶液に乳化分散させて、界面でゾルゲル反応を起こさせてプロポリス抽出物をカプセル化することにより生成されることが好ましい。
【００３３】
前記ｂ）段階またはｂ−１）段階は、噴射法または含浸法により行われることが好ましい。
【００３４】
前記ｂ）段階は、前記ポリウレタンフォームに膨張剤を含むアルコールを噴射して前記ポリウレタンフォーム内の気孔空隙の大きさを拡張させる前処理段階と、前処理したポリウレタンフォームに前記マイクロカプセルを噴射または含浸させる段階と、前記噴射または含浸処理したポリウレタンフォームを乾燥させる段階と、を含むことが好ましい。
【００３５】
前記ｂ−１）段階は、前記ポリウレタンフォームに膨張剤を含むアルコールを噴射して前記ポリウレタンフォーム内の気孔空隙の大きさを拡張させる前処理段階と、前処理したポリウレタンフォームに前記マイクロカプセルと前記シランカップリング剤の混合溶液を噴射または含浸させる段階と、前記噴射または含浸処理したポリウレタンフォームを乾燥させる段階と、を含むことが好ましい。
【００３６】
一方、さらに他の側面として、本発明は、便器に取付けられる構造を有する便座本体と、前記便座本体を開閉するように前記便座本体に連結されて、温度が上昇することによって殺菌物質の外部への放出が促進される殺菌パッドが備えられた便座カバーと、を含む殺菌パッドを備えた便座を提供する。
【００３７】
前記殺菌パッドは、一面が前記便座カバーの内面に付着され、気孔空隙を有するポリウレタンフォームと、内部に殺菌物質を収容しており、前記ポリウレタンフォームの前記気孔空隙に担持されるマイクロカプセルと、からなることが好ましい。
【００３８】
一方、他の側面として、本発明は、便器に取付けられる構造を有する便座本体と、
前記便座本体を開閉するように前記便座本体に連結されて、内部に殺菌物質を含むマイクロカプセルがコーティングされた殺菌パッドを備えた便座カバーと、を含む殺菌パッドを備えた便座を提供する。
【００３９】
前記殺菌パッドの一面は前記便座カバーの内面に付着され、前記殺菌パッドは気孔空隙を有するポリウレタンフォームを備え、前記マイクロカプセルは前記ポリウレタンフォームの気孔空隙に担持されるように提供されることが好ましい。
【００４０】
前記ポリウレタンフォームは、１０μｍ〜１２０μｍの気孔空隙を有することが好ましい。
【００４１】
前記ポリウレタンフォームは、８０μｍ〜１２０μｍの気孔空隙を有することが好ましい。
【００４２】
前記ポリウレタンフォームは、１０μｍ〜５００μｍの気孔空隙を有することが好ましい。
【００４３】
一方、前記マイクロカプセルは、３μｍ〜１０μｍの粒径を有しており内部が中空のカプセル形状であるシリカゲルと、前記シリカゲルの内部に充填された殺菌物質と、からなることが好ましい。
【００４４】
前記殺菌物質は、プロポリス抽出物であることが好ましい。
【００４５】
一方、前記シリカゲルは、気孔を有しており、前記便座本体に内蔵されたヒーター部により前記便座カバーが加熱されると、前記殺菌物質の外部への放出が促進されるように前記気孔が拡大する構造を有することが好ましい。
【００４６】
前記殺菌パッドは、耐久性を増加させるために、前記ポリウレタンフォームと前記マイクロカプセルの接着性を向上させる固着用バインダーをさらに含むことが好ましい。
【００４７】
このなかで、前記固着用バインダーは、シランカップリング剤であることが好ましい。
【００４８】
前記殺菌物質はプロポリス抽出物であり、前記マイクロカプセルは前記プロポリス抽出物を２０，０００ｐｐｍ〜５０，０００ｐｐｍの含量で含むことがさらに好ましい。
【００４９】
一方、さらに他の側面として、本発明は、ａ）前記便座本体に接続された制御ユニットに殺菌動作命令を入力する段階と、ｂ）前記制御ユニットに殺菌動作命令が入力されると、前記殺菌パッドが所定の温度に到逹し、前記殺菌パッドから殺菌物質が放出され、放出された殺菌物質が前記便器の内部に拡散されるように、前記制御ユニットの作動により前記便座本体に内蔵されたヒーター部が加熱される段階と、を含み、前記殺菌物質により前記便座本体と便器が殺菌されることを特徴とする便器の殺菌方法を提供する。
【００５０】
前記ａ）段階において、前記制御ユニットは、前記便座カバーが前記便座本体の上部に重ねられるように覆われた状態で殺菌動作を行い、前記便座カバーが前記便座本体に重ねられるように覆われていない状態では殺菌動作を行わないように作動することが好ましい。
【００５１】
便器の殺菌方法は、前記ｂ）段階後に、ｃ）前記ヒーター部の作動を中止して、前記制御ユニットに殺菌停止命令を入力するか、または前記制御ユニットに既設定の所定時間が経過した後に前記殺菌パッドからの殺菌物質の放出を停止させる段階を、さらに含むことが好ましい。
【発明の効果】
【００５２】
本発明の実施の一形態による殺菌パッドによれば、温度を上昇させることによって、殺菌物質の放出が促進されて周辺器機を殺菌することができる。
【００５３】
また、本発明の他の実施の形態による殺菌パッドの製造方法によれば、耐久性に優れると共に長い使用寿命を有する殺菌パッドを提供することができる。
【００５４】
さらに、本発明の他の実施の形態による殺菌パッドを備えた便座によれば、別途の殺菌装置がなくても、殺菌パッドを備えた便座及び便器に存在する細菌を殺菌することができる。
【００５５】
さらにまた、本発明の別の実施の形態による殺菌パッドを備えた便座を使用する前に、分離したシートを使用することなく、便器カバー、特にビデが設置された便器カバーに殺菌パッドを付着させて、便座シート本体の上部を便座カバーが覆った状態で、所定の温度に便座カバーを加熱して殺菌物質の外部への放出を促進させることによって、放出された殺菌物質で、殺菌パッドを備えた便座と便器を殺菌することができる。
【００５６】
本発明の上述したまたは他の見地や、特徴、および他の利点は、以下の詳細な説明と添付した図面から、より明確に理解されることであろう。
【図面の簡単な説明】
【００５７】
【図１】本発明の実施の一形態例に用いられる実際のマイクロカプセルの形状を電子顕微鏡（ＳＥＭ）で撮影した写真を示したものである。
【図２】本発明の実施の一形態に用いられるマイクロカプセルの構造とプロポリス成分の放出原理を示した図である。
【図３】本発明の方法により製造される殺菌パッドの試片の各段階別における実際の形状を示した写真である。
【図４】本発明による殺菌パッドの殺菌効果の試験結果を示したものである。
【図５】本発明による殺菌パッドが一定温度及び一定の距離で時間が経過したときに殺菌性能を示すか否かを調査した、殺菌パッドの殺菌物質放出の試験方法（ａ）と、及び試験結果（ｂ）を示したものである。
【図６】本発明の実施の一形態により、便器に装着された殺菌パッドを備えた便座を概略的に示した斜視図である。
【図７】本発明の実施の一形態により、便器に装着され、内部に殺菌パッドが装着された殺菌パッドを備えた便座を概略的に示した断面図である。
【図８】本発明の実施の一形態により、殺菌パッドを備えた便座を加熱することによって、殺菌パッドから殺菌物質が放出される状態における、便器に装着された殺菌パッドを備えた便座を概略的に示した断面図である。
【図９】本発明の実施の一形態による殺菌パッドに固着用バインダーが装着された状態と化学結合を概略的に示した図である。
【発明を実施するための形態】
【００５８】
以下、添付の図面を参照しながら、本発明を詳細に説明する。
【００５９】
先ず、以下で説明する例示的な実施の形態は、本発明の殺菌パッド、殺菌パッドの製造方法、殺菌パッドを備えた便座、及び便器の殺菌方法の特徴を理解させるのに適した実施の形態である。しかしながら、本発明の適用や特徴は、以下に例示的に示した実施の形態に限定されることはなく、本発明の技術範囲内で多様に変形させることができる。
【００６０】
最初に、本発明の殺菌パッドの実施の一形態を説明する。
【００６１】
本発明の殺菌パッド１００は、プロポリス抽出物を収容しているマイクロカプセル１１０と、ポリウレタンフォーム１２０と、を含む。ここで、マイクロカプセル１１０は、ポリウレタンフォーム１２０の表面に備えられる。
【００６２】
図２に示したように、マイクロカプセル１１０は、ゾルゲル反応により形成されたシリカゲル１１１と、シリカゲル１１１の内部に充填された殺菌物質１１５とを含んでいる。
【００６３】
本発明の実施の形態では、マイクロカプセル１１０の外側を形成するシリカゲル１１１は、気孔１１３が形成された材質で、所定の温度（例えば、４０℃〜５０℃）に到逹すると、殺菌物質１１５が外部に放出されるように気孔１１３が拡大される構造を有する。
【００６４】
シリカゲル１１１は、３μｍ〜１０μｍの粒径を有し、内部が中空のカプセル形状であるが、これに限定されない。しかしながら、マイクロカプセル１１０の粒径が３μｍ未満では、その中に殺菌物質１１５（プロポリス抽出物）を収容する量が少なくなる。そのため、殺菌効果が低下する恐れがあり、マイクロカプセル１１０の耐久性が弱くなる恐れがある。さらに、粒径が１０μｍを超えるマイクロカプセル１１０は、工程上、製造が困難である。
【００６５】
本発明の実施の一形態において、マイクロカプセル１１０の量は、特に限定しないが、殺菌パッド１００の総重量の約３重量％〜２０重量％とすることができる。マイクロカプセル１１０の量が３重量％未満では殺菌効果が乏しくなる恐れがあり、２０重量％を超えても殺菌効果を増加させることができず、相対的に費用がかかる恐れがあるためである。一方、殺菌パッド１００の残り成分であるポリウレタンフォーム１２０は、残量、即ち、約８０重量％〜９７重量％とすることができる。
【００６６】
本発明の実施の一形態において、シリカゲル１１１は、通常、常温では内部物質である殺菌物質１１５を徐々に放出する特性を有しており、４０℃〜５０℃に加熱したとき、図２にの放出開始で示したように、殺菌物質１１５の外部への放出が促進される。
【００６７】
ここで、プロポリス抽出物を含有する物質は、殺菌物質１１５として用いることができる。特に、マイクロカプセル１１０は、プロポリス抽出物、テトラエチルオルトシリケート（ＴＥＯＳ）、及び部分加水分解されたシラン化合物を含む混合液を、酸またはアルカリが溶解されてプロポリス抽出物と反対の極性を有する溶液に乳化分散させて、界面でゾルゲル反応を起こさせてプロポリス抽出物をカプセル化することにより生成されることが好ましい。
【００６８】
一方、本発明の実施の一形態において、前記ポリウレタンフォーム１２０は、気孔空隙（多孔質セルともいう）を含んでおり、その内部にマイクロカプセル１１０を容易に閉じ込めることができる構造を有している。
【００６９】
本発明の実施の一形態において、本発明の殺菌パッド１００が殺菌パッドを備えた便座の殺菌用に用いられる場合、ポリウレタンフォーム１２０は、約１０μｍ〜５００μｍ、好ましくは約１０μｍ〜１２０μｍ、さらに好ましくは約８０μｍ〜１２０μｍの大きさの気孔空隙を有することができる。
【００７０】
しかしながら、ポリウレタンフォーム１２０の気孔空隙の大きさが１０μｍ未満では、マイクロカプセル１１０が気孔空隙内に担持されず、殺菌効果が低下する恐れがある。また、ポリウレタンフォーム１２０の気孔空隙の大きさが５００μｍを超えると、マイクロカプセル１１０が気孔空隙内に担持されるが、再び漏れ出て殺菌効果が低下する恐れがある。
【００７１】
ポリウレタンフォーム１２０の気孔空隙の大きさが５００μｍ以上の場合には、マイクロカプセル１１０がポリウレタンフォーム１２０の気孔空隙へ担持されやすい。ポリウレタンフォーム１２０の気孔空隙の大きさが１２０μｍ以下の場合には、ポリウレタンフォーム１２０に封入されたマイクロカプセル１１０の離脱が容易ではなく、殺菌効果を向上させることができる。
【００７２】
本発明の実施の一形態では、殺菌パッド１００に用いられるポリウレタンフォーム１２０の気孔空隙の大きさを上述したように調節して、ポリウレタンフォーム１２０にコーティングされるマイクロカプセル１１０の含量を調節することにより、マイクロカプセル１１０に含有された殺菌物質１１５の殺菌寿命を調節することができる。
【００７３】
一方、本発明の実施の一形態によるポリウレタンフォーム１２０は、厚すぎると概観が美的に満足できず、薄すぎると、殺菌物質１１５の収容されたマイクロカプセル１１０の含量が少なくなって殺菌力が弱くなる。そのため、ポリウレタンフォーム１２０の厚さは、０．５ｍｍ〜５ｍｍ範囲内の厚さを有することが好ましいが、必ずしもこれに限定されない。
【００７４】
本発明の実施の一形態では、マイクロカプセル１１０がコーティングされる材質の一例として、ポリウレタンフォーム１２０を挙げて説明したが、必ずしもこれに限定されることはなく、ポリウレタンフォームのように表面または内部に気孔空隙が形成されてマイクロカプセルを付着させることができる材料であればよい。
【００７５】
また、本発明の実施の一形態による殺菌パッド１００は、耐久性を増加させるためにポリウレタンフォーム１２０とマイクロカプセル１１０の接着性を向上させる固着用バインダー１３０をさらに含んでもよい。
【００７６】
また、固着用バインダー１３０は、シランカップリング剤であってもよい。
【００７７】
即ち、ポリウレタンフォーム１２０のような高分子と、それに備えられた充填剤であるマイクロカプセル１１０は、性質が異なるため、界面が完全に付着されない場合が大半である。この場合、マイクロカプセル１１０がポリウレタンフォーム１２０の気孔空隙から漏れ出る可能性が高くなり、殺菌パッドの耐久性が弱くなるという問題が生じ得る。
【００７８】
従って、本発明の実施の一形態による殺菌パッド１００は、図９に示した実施例のように、マイクロカプセル１１０をポリウレタンフォーム１２０に強固に結合させるために、固着用バインダー１３０として、シランカップリング剤を用いてもよい。これにより、ポリウレタンフォーム１２０の気孔空隙に閉じ込められたマイクロカプセル１１０が気孔空隙から漏れ出るのを防止し、したがって、殺菌パッド１００の耐久性が向上することができ、殺菌パッドの使用寿命を長くすることができる。
【００７９】
シランカップリング剤は、例えば、アミン系シランカップリング剤、サルファー系シランカップリング剤、アルキル系シランカップリング剤など、特に制限されることはなく、多様なシランカップリング剤を用いることができる。上述した実施例の他にも、どのようなシランカップリング剤でも用いることができ、シランカップリング剤の種類を限定されることはない。アミン系シランカップリング剤の例には、３−アミノプロピルトリメトキシシラン（３−ａｍｉｎｏｐｒｏｐｙｌｔｒｉｍｅｔｈｏｘｙｓｉｌａｎｅ）、３−アミノプロピルトリエトキシシラン（３−ａｍｉｎｏｐｒｏｐｙｌｔｒｉｅｔｈｏｘｙｓｉｌａｎｅ）、３−アミノプロピルメチルジエトキシシラン（３−ａｍｉｎｏｐｒｏｐｙｌｍｅｔｈｙｌｄｉｅｔｈｏｘｙｓｉｌａｎｅ）、アミノプロピルシルラントリオール（ａｍｉｎｏｐｒｏｐｙｌｓｉｌａｎｅｔｒｉｏｌ、Ｎ−（２−アミノエチル）−３−アミノプロピルトリエトキシシラン（Ｎ−（２−ａｍｉｎｏｅｔｈｙｌ）−３−ａｍｉｎｏｐｒｏｐｙｌｔｒｉｍｅｔｈｏｘｙｓｉｌａｎｅ）などが含まれる。サルファー系シランカップリング剤の例には、３−メルカプトプロピルトリメトキシシラン（３−ｍｅｒｃａｐｔｏｐｒｏｐｙｌｔｒｉｍｅｔｈｏｘｙｓｉｌａｎｅ）及びビス［３−（トリエトキシシリル）プロピル］−テトラスルフィド（ｂｉｓ［３−（ｔｒｉｅｔｈｏｘｙｓｉｌｙｌ）ｐｒｏｐｙｌ］−ｔｅｔｒａｓｕｌｆｉｄｅ）などが含まれる。
【００８０】
しかしながら、固着用バインダー１３０は、シランカップリング剤に限定されることはなく、ポリウレタンフォーム１２０とマイクロカプセル１１０の結合を強化させることができる多様なバインダーを適用することができる。
【００８１】
次に、本発明の実施の一形態による殺菌パッドの製造方法を、以下に説明する。
【００８２】
本発明の殺菌パッド１００の製造方法は、プロポリス抽出物を用いて、ゾルゲル反応法によりプロポリス抽出物含有マイクロカプセル１１０を生成する段階と、プロポリス抽出物含有マイクロカプセル１１０をポリウレタンフォーム１２０の表面にコーティングする段階と、を含む。
【００８３】
まず、プロポリス抽出物は、天然素材から有効成分を抽出する通常の抽出法により得ることができる。一例としては、熱湯比重分離後の真空超音波抽出による方法、超臨界流体抽出方法、水蒸気抽出方法、および溶媒抽出方法が含まれる。
【００８４】
前記プロポリス抽出物は、熱湯比重分離法によって蜂の巣から蜜蝋を除去した後、真空超音波抽出法により抽出してもよい。また、プロポリス抽出物は、商業的に購入して用いてもよい。プロポリス抽出物は、熱湯比重分離法によって蜂の巣から蜜蝋を除去した後、真空超音波抽出法により抽出されることが好ましい。
【００８５】
このようなプロポリス抽出物はマイクロカプセル化されており、マイクロカプセル１１０は一般的に知られている微細カプセル化工程により製造することができる。例えば、マイクロカプセル１１０は、この例に限定されることはないが、韓国特許公開公報２００３−００６４１２６号に開示されたゾルゲル反応法により製造することができる。
【００８６】
一例として、マイクロカプセル１１０は、プロポリス抽出物、テトラエチルオルトシリケート（ＴＥＯＳ）、及び部分加水分解されたシラン化合物が含まれた混合液を、酸またはアルカリが溶解され且つプロポリス抽出物と反対の極性を有する溶液に乳化分散させて、界面でゾルゲル反応を起こさせてプロポリス抽出物をカプセル化することで製造することができる。
【００８７】
このような微細カプセル化工程により生成されるプロポリス抽出物を収容しているマイクロカプセル１１０の粒子の大きさは、特に限定されないが、上述したように約３μｍ〜１０μｍであることが好ましい。
【００８８】
次に、プロポリス抽出物含有マイクロカプセル１１０をポリウレタンフォーム１２０の表面にコーティングする。
【００８９】
マイクロカプセル１１０は、一般的に知られている噴射法または含浸法によりポリウレタンフォーム１２０にコーティングされてもよい。一例として、コーティングは、ポリウレタンフォーム１２０に膨張剤を含有するエタノールようなアルコールを噴射してポリウレタンフォーム１２０内の気孔空隙の大きさを拡張させる前処理段階と、前処理したポリウレタンフォーム１２０にプロポリス抽出物含有マイクロカプセル１１０を噴射したり、含浸させる段階と、噴射または含浸処理したポリウレタンフォーム１２０を乾燥させる段階と、からなる。
【００９０】
前処理時として、アルコールには、膨張剤だけでなく必要に応じて硬化剤を含有させてもよい。このようにポリウレタンフォーム１２０をエタノールのようなアルコールで処理すると、アルコールとポリウレタンが反応して発泡し、ポリウレタンフォーム１２０の気孔空隙が拡張される。このようにしてポリウレタンフォーム１２０の気孔空隙を拡張させると、マイクロカプセル１１０の気孔空隙内への閉じ込めがさらに容易となる。
【００９１】
実際、本発明の実施の一形態で用いたポリウレタンフォーム１２０の材料シートの前処理前と前処理後の様子を撮影した写真を図３に示した（図３において、最左写真の左側は材料シートの１０，０００倍率の写真であり、残りは材料シートの実際の大きさの写真である）。
【００９２】
前記前処理を施した後、拡張された気孔空隙を有するポリウレタンフォーム１２０にマイクロカプセル１１０を噴射したり、含浸させることで、マイクロカプセル１１０をポリウレタンの気孔空隙内に閉じ込める。
【００９３】
その後、噴射処理または含浸処理したポリウレタンフォーム１２０を乾燥させると、拡張された気孔空隙が再び元の大きさに戻る。このとき、乾燥時の温度条件は、特に限定されないが、好ましくは２０〜８０℃で乾燥することが気孔空隙を元の状態に戻すのに有利である。
【００９４】
殺菌パッドを備えた便座を殺菌するために本発明の殺菌パッド１００を製造する場合、ポリウレタンフォーム１２０は、１０μｍ〜１２０μｍの、さらに好ましくは８０μｍ〜１２０μｍの大きさの気孔空隙を有することができる。ポリウレタンフォーム１２０は、このように気孔空隙で構成されているため、マイクロカプセル１１０を気孔空隙内に閉じ込めやすい構造を有する。
【００９５】
ポリウレタンフォーム１２０の気孔空隙の大きさが１０μｍ未満では、マイクロカプセル１１０が気孔空隙内に担持されない恐れがあるため、殺菌効果が低下することがあり、また、ポリウレタンフォーム１２０の気孔空隙の大きさが１２０μｍを超えると、マイクロカプセル１１０が気孔空隙内にコーティングできても再び漏れ出る恐れがあるため、殺菌効果が低下することがある。
【００９６】
一方、耐久性を増加させるために、ポリウレタンフォーム１２０とマイクロカプセル１１０の接着性を向上させる固着用バインダー１３０を含む場合は、下記のような製造方法で製造される。
【００９７】
即ち、本発明の他の実施の形態による殺菌パッドの製造方法は、プロポリス抽出物を用いて、ゾルゲル反応法によりマイクロカプセル１１０を生成する段階と、前記マイクロカプセルと固着用バインダー１３０を混合して混合溶液を生成して、前記混合溶液をポリウレタンフォーム１２０の表面にコーティングする段階と、を含む。
【００９８】
前記本発明の他の実施の形態による殺菌パッドの製造方法は、上述した実施の一形態による殺菌パッドの製造方法と比べて、マイクロカプセル１１０と固着用バインダー１３０を混合した混合溶液をポリウレタンフォーム１２０の表面にコーティングする段階が異なるが、他の段階では両製造方法で同じである。
【００９９】
即ち、マイクロカプセル１１０と固着用バインダー１３０の混合溶液は、上述した一般的な噴射法または含浸法によりポリウレタンフォーム１２０にコーティングされてもよい。一具現例として、ポリウレタンフォーム１２０に膨張剤を含むアルコールを噴射して前記ポリウレタンフォーム１２０内の気孔空隙の大きさを拡張させる前処理段階と、前処理したポリウレタンフォームにマイクロカプセル１１０と前記シランカップリング剤との混合溶液を噴射しまたは含浸させる段階と、前記噴射または含浸処理したポリウレタンフォーム１２０を乾燥させる段階と、からなってもよい。
【０１００】
前記前処理段階は上記と同様で、前記前処理を施した後、マイクロカプセル１１０と固着用バインダー１３０との混合溶液を拡張された気孔空隙を有するポリウレタンフォーム１２０に噴射しまたは含浸させることで、マイクロカプセル１１０をポリウレタンフォーム１２０の気孔空隙内に閉じ込める。
【０１０１】
その後、噴射処理または含浸処理したポリウレタンフォーム１２０を乾燥させると、拡張された気孔空隙は再び元の大きさに戻る。この乾燥段階は上述と同様であるため、詳しい説明は省略する。
【０１０２】
このように、固着用バインダー１３０が含まれた混合溶液を前記ポリウレタンフォーム１２０にコーティングすることで、ポリウレタンフォーム１２０とマイクロカプセル１１０の結合が強化されて、マイクロカプセル１１０が前記気孔空隙から漏れ出るのを防止することができ、したがって、殺菌パッド１００の耐久性が向上して前記殺菌パッドの使用寿命を長くすることができる。
【０１０３】
ここで、固着用バインダー１３０としては、上述のようにシランカップリング剤を用いてもよい。マイクロカプセル１１０は、前記プロポリス抽出物を２０，０００ｐｐｍ〜５０，０００ｐｐｍの量で含むことが好ましい。しかしながら、前記固着用バインダーの種類と前記プロポリス抽出物の濃度はこれに限定されない。
【０１０４】
本発明の殺菌パッド１００は、殺菌パッドを備えた便座の殺菌用であり、特に、ビデが設置された便器の殺菌パッドを備えた便座カバーとして用いてもよいが、これに限定されず、空気清浄機のフィルターなど多様な用途に用いてもよい。
【０１０５】
本発明の殺菌パッド１００を殺菌パッドを備えた便座の殺菌用に用いる場合、殺菌パッド１００は、ビデが設置された便器の殺菌パッドを備えた便座カバーに付着されて使用される。殺菌パッドを備えた便座カバーに付着された殺菌パッド１００は、殺菌パッド１００内の殺菌物質１１５が活性化されることによって、殺菌パッドを備えた便座を殺菌する。殺菌物質１１５の活性化は、例えば、便座カバーを閉じて便座シートを覆った時、ビデの機能のうち、殺菌パッドを備えた便座のヒーター機能や乾燥機能の一つを作動させることで、請け負うことができる。
【０１０６】
また、本発明の殺菌パッド１００は、不織布及びポリウレタンフォームの形態で、空気清浄機のフィルターとして用いることもできる。不織布またはポリウレタンフォームに含浸された殺菌物質１１５は、自然にまたはファン（ｆａｎ）の強い風により放出される。
【０１０７】
従って、殺菌パッド１００は、空気清浄フィルターの一種であって、不織布またはポリウレタンフォームにろ過された埃内のかびなどを死滅する機能を有するだけでなく、ＨＥＰＡフィルターに積層されている埃内のかびまたはバクテリアを殺菌する機能もする。
【０１０８】
実験例
実験例１．殺菌パッド１００の製造
本実施例に用いられたマイクロカプセル１１０は、ＢＩＯ  ＣＨＥＭ  ＫＯＲＥＡ社から購入したＢａｃｔｏ  Ｌｉｑｕｉｄである。この実施例のマイクロカプセル１１０は、３μｍ〜１０μｍの粒径を有しており、内部にプロポリス抽出物（１００％）がマイクロカプセル１１０内に収容されている。この実施例に用いられたポリウレタンフォーム１２０は、平均１００μｍの大きさの気孔空隙を有している。
【０１０９】
マイクロカプセル１１０の粒径は、３μｍ〜１０μｍであることが好ましい。マイクロカプセル１１０の粒径が３μｍ未満では、殺菌物質１１５（プロポリス抽出物）のコーティング量が減少して、殺菌効果が低下すると共にマイクロカプセル１１０の耐久性が弱くなることがある。さらに、粒径が１０μｍを超えるマイクロカプセル１１０は工程上、製造が困難である。マイクロカプセル１１０の前記粒径範囲内で耐久性を試験し、その結果を下記表１に示した。
【０１１０】
【表１】
2014507193.tif 000003
【０１１１】
上記の表１から、マイクロカプセル１１０の粒径が上記の範囲よりも小さい１μｍでは、殺菌パッド使用寿命は３０日であった。しかしながら、同じ条件でマイクロカプセル１１０の粒径を上記の範囲内である５μｍにした場合には、使用寿命が１２０日以上であった。このように表１から、前記マイクロカプセルの粒径が上記の範囲内である場合に、殺菌パッド１００の耐久性が向上した。
【０１１２】
殺菌パッド１００は、前記プロポリス抽出物含有マイクロカプセル１１０をポリウレタンフォーム１２０にスプレーで噴射する方式でコーティングした。
【０１１３】
まず、マイクロカプセル１１０をポリウレタンフォーム１２０に閉じ込めるために、ポリウレタンフォーム１２０にエタノール混合剤を噴射して気孔空隙セルを拡張させる前処理を施した。
【０１１４】
このとき用いられたエタノール混合剤は、水に溶解された４０％濃度のエタノール９０重量％、膨張剤（重炭酸ナトリウム）７重量％、及びアミン硬化剤３重量％で構成された溶液であり、エタノール混合剤の噴射は常温で行った。
【０１１５】
次に、このように前処理したポリウレタンフォーム１２０にプロポリス抽出物含有マイクロカプセル１１０をスプレーで噴射する方式でコーティングした。
【０１１６】
このとき、マイクロカプセル１１０が殺菌パッド１００の総重量の約１０重量％が含まれるようにコーティングし、マイクロカプセル１１０の噴射は常温で行った。次に、このように表面処理したポリウレタンフォーム１２０を常温（２０℃）で６０分間乾燥して殺菌パッド１００の製造を完了した。このように製造された殺菌パッド１００を、殺菌パッドを備えた便座の殺菌用に用いた。
【０１１７】
上述したような殺菌パッドの製造方法を同様に用いるが、プロポリス抽出物含有マイクロカプセル１１０を固着用バインダー１３０と混合して前記ポリウレタンフォーム１２０にスプレーで噴射する方式でコーティングした。
【０１１８】
即ち、殺菌パッド１００の耐久性を増加させるために、固着用バインダー１３０を利用して殺菌パッド１００を製造した。このとき、前処理段階と乾燥段階は、上述と同様に行った。
【０１１９】
しかしながら、前記マイクロカプセル１１０を前記固着用バインダー１３０と混合して混合溶液を作り、前処理したポリウレタンフォーム１２０に前記混合溶液をスプレー方式でコーティングすることができる。
ここで、シランカップリング剤を固着用バインダー１３０として用いてもよく、また、マイクロカプセル１１０に収容されるプロポリス抽出物の含量は２０，０００ｐｐｍ〜５０，０００ｐｐｍの濃度であってもよい。殺菌パッド１００の耐久性を、固着用バインダー１３０の使用有無と前記プロポリス抽出物の含量について試験したが、その結果を表２に示す。
【０１２０】
【表２】
2014507193.tif 000004
【０１２１】
表２から、何も処理しない試験３の場合は、殺菌パッド１００の使用寿命は３０日で、プロポリス抽出物の濃度だけを上述した範囲内にした試験２の場合は、殺菌パッド１００の寿命が１５日であった。
【０１２２】
しかしながら、固着用バインダー１３０を使用して殺菌パッド１００を製造すると共に、プロポリス抽出物の濃度を３００００ｐｐｍにした試験１の場合は、殺菌パッド１００の使用寿命が１３６日以上に増加した。表２に示したように、本発明の実施の一形態による殺菌パッド１００は、固着用バインダー１３０を使用し、且つ、プロポリス抽出物の濃度を上述した範囲にすることにより、耐久性に優れて折り長い使用寿命を有する。
【０１２３】
実験例２．殺菌パッドの殺菌試験
１）ハローテスト（可視性試験）
ハローテスト法により殺菌パッドを備えた便座の殺菌用に製造された殺菌パッド１００の殺菌性能を試験した。ハロー試験条件は、以下の通り、一般的な寒天培地で、培養条件は３７℃で２４時間以上であり、径１０ｃｍ以上の殺菌パッド１００で、大腸菌ＡＴＣＣ  ２５９２２を用いた。その結果を図４に示す。
【０１２４】
図４に示したように、何も処理しない対照群は殺菌力を示さなかったが、本発明による殺菌パッド１００では、試片において約０．５〜１ｃｍ周囲内の大腸菌が全て死滅し、非常に優れた殺菌力を示した。
【０１２５】
２）定量試験
前記殺菌パッド１００の殺菌性能に対して定量試験を行った。試験の条件は、以下の通り、一般的な寒天培地で、培養条件は３７℃で２４時間以上であり、径１０ｃｍ以上の殺菌パッド１００で、大腸菌を使用した。この試験を３回（試片１〜試片３）繰り返した。その結果を表３に示す。
【０１２６】
【表３】
2014507193.tif 000005
【０１２７】
表３から、何も処理しない対照群１〜対照群３は、処理時間（５分）が経過した後でも菌数の変化がなく、殺菌力がないことが示された。
【０１２８】
しかしながら、試験１〜試験３において、殺菌パッド１００の処理の前後で菌数の比較した結果は、本発明の殺菌パッド１００の処理を５分経過した後の菌数が、殺菌パッド１００の処理をする前の菌数と比較して、試片１で９７％、試片２で１００％、試片３で９５．５％減少することが示された。よって、表３から、本発明の実施の一形態による殺菌パッド１００は、非常に優れた殺菌性を有している。
【０１２９】
３）殺菌パッドの殺菌物質放出試験
本発明による殺菌パッド１００が一定の温度と距離で時間が経過した後も殺菌性能を示すかについて調査した。本試験では、殺菌パッドを備えた便座の殺菌用に製造された殺菌パッド１００を対象に試験を行った。
【０１３０】
試験１）のように大腸菌を培養した後、その上に１３ｍｍの間隔をおいて、殺菌パッド１００をプレートの上に配置し、周囲温度４０℃で、１２時間放置した。大腸菌数を比較することにより殺菌性能を評価した。試験方法とその結果を図５に示した。
【０１３１】
図５から、何も処理しない対照群は、殺菌力を示さなかった。しかしながら、本発明による殺菌パッド１００を配置した試験群では、写真に示されているように、大腸菌が著しく死滅した。したがって、試験群が非常に優れた殺菌力を示した。
【０１３２】
一方、以下では、図６〜図８を参照して、本発明の実施の一形態による殺菌パッドを備えた便座について説明する。
【０１３３】
図６に示したように、本発明の実施の一形態による殺菌パッドを備えた便座１は、便器２上に設けられる構造となっている。ここで、殺菌パッドを備えた便座１は、便器２の上部に装着することができる。
【０１３４】
本発明の実施の一形態による殺菌パッドを備えた便座１は、便器２上に配置される便座本体１０と、便座本体１０に連結された便座カバー３０を含んでいる。ここで、便座本体１０と便座カバー３０は、回動ユニット４０により連結されている。
【０１３５】
本発明の実施の一形態による便座本体１０の内部空間には、便座本体１０の表面を暖めるヒーター部１１が設けられてもよい。さらに、本発明の実施の一形態における便座本体１０には、洗浄またはビデ機能のための多様な部品が設けられる内部空間を有していてもよい。
【０１３６】
さらに、ノズルアセンブリー（不図示）が便座本体１０の内部空間に備えられており、洗浄またはビデ機能の使用時にノズル部１３が前進または後進することができるように構成されている。
【０１３７】
一方、この実施の形態における便座１は、便座本体１０の外側の一側方に、制御ユニット２０を含んでいる。ここで、制御ユニット２０は、ノズルアセンブリー、ノズル部１３、及びヒーター部１１の動作を制御する。制御ユニット２０は、洗浄ボタン、ビデボタン、乾燥ボタン、及び殺菌ボタンなどを含むボタン部２２を含んでいてもよい。
【０１３８】
この実施の形態では、ヒーター部１１の温度を制御ユニット２０により制御することができ、制御ユニット２０の殺菌ボタンが選択されると、ヒーター部１１は一定温度（例えば、４０℃以上）に加熱するよう作動されるされることができる。
【０１３９】
この実施の形態では、便座カバー３０は、回動ユニット４０により便座本体１０の上部と回動可能に連結されている。殺菌パッド１００は、便座カバー３０の内面に付着されている。
【０１４０】
上述したように、殺菌パッド１００は、加熱されて温度が（例えば、４０℃以上に）上昇することにより、殺菌物質１１５の外部への放出が促進されて、便座１と便器２の内部を殺菌する部材である。
【０１４１】
ここで、殺菌パッド１００が一方の面に両面接着テープを有していて、両面接着テープが便座カバー３０に接着されて固定されてもよく、或は、他の接着方式を用いるなど多様な方法を用いて殺菌パッド１００と便座カバー３０結合されてもよい。即ち、殺菌パッド１００と便座カバー３０の結合方式は、特に限定されない。
【０１４２】
この実施の形態においては、殺菌パッド１００は、便座カバー３０の全内面に付着されてもよく、或は、図６に示したように、第２バッテリー１０の角部に沿って、便座カバー３０の一部のみに付着されてもよい。即ち、殺菌パッド１００の形状は、この実施の形態で説明し示したものに限定されない。
【０１４３】
便座１が設置された便器２を殺菌する便器の殺菌方法を、図７及び図８を参照しながら説明する。
【０１４４】
まず、便座カバー３０が便座本体１０を覆い、便座カバー３０に提供された殺菌パッド１００を便座本体１０と向かい合わせにする。次いで、便座本体１０に連結された制御ユニット２０に殺菌動作命令が入力される。
【０１４５】
便座１において、制御ユニット２０に殺菌動作命令が入力されると、ヒーター部１１が加熱し始め、ヒーター部１１の加熱によって便座カバー３０の温度が４０℃以上になると、便座カバー３０に付着された殺菌パッド１００にコーティングされたマイクロカプセル１１０とシリカゲル１１１の気孔１１３が拡大される。このようにして、マイクロカプセル１１０に閉じ込められていた殺菌物質１１５の外部への放出が促進される。
【０１４６】
外部に放出された殺菌物質１１５が便座本体１０及び／または便器２の内部に拡散されると、殺菌物質１１５が接触した便座本体１０及び／または便器２が殺菌物質１１５により殺菌される。
【０１４７】
所定時間の間、上記過程が維持されて、制御ユニット２０に殺菌停止命令が入力されると、ヒーター部１１の作動が中止される。ヒーター部１１の作動が中止されることにより、便座カバー３０の温度が低下し始め、シリカゲル１１１の気孔１１３は元の状態に戻る。
【０１４８】
これにより、この実施の形態の便座１は、殺菌パッド１００の温度を制御することによりマイクロカプセル１１０に閉じ込められた殺菌物質１１５の外部放出を制御することができ、温度低下に伴って便座本体１０及び／または便器２の殺菌過程が中止される。
【０１４９】
本発明の実施の一形態で（ビデなどの）便座１を例に挙げて説明したが、本発明の殺菌パッドは、空気清浄機用フィルターなど多様な用途に適用することができる。
【０１５０】
上述した実施例は、本発明の全観点を説明するためのものであり、制限するためのものではない。従って、本明細書内に含まれた説明から本技術分野の当業者によって本発明の多くの変形と詳細な実行を行うことができる。添付の請求の範囲により限定されたように、これらの全ての変形及び変更は、本発明の範囲及び思想内であると考慮すべきである。
【０１５１】
特に、本発明は、マイクロカプセルをコーティングする材料がポリウレタンフォームである場合で説明したが、これは例示に過ぎず、ポリウレタンフォームのように表面または内部に気孔空隙が形成されマイクロカプセルが付着できる材料も、ポリウレタンフォームの均等物あるいは代替物に該当し、本発明の範囲に属する。
【０１５２】
以上、本発明は、例示的な実施の形態で図示し説明したが、添付の特許請求の範囲により定義される本発明の精神や分野から外れない範囲内で、本発明が多様に改造及び変化できるということは、当業界で通常の知識を有する者にとって明白であろう。
【符号の説明】
【０１５３】
１００  殺菌パッド
１１０  マイクロカプセル
１１１  シリカゲル
１１５  殺菌物質
１２０  ポリウレタンフォーム
１３０  固着用バインダー
【図６】
2014507193.tif 000006
【図１】
2014507193.tif 000007
【図２】
2014507193.tif 000008
【図３】
2014507193.tif 000009
【図４】
2014507193.tif 000010
【図５】
2014507193.tif 000011
【図７】
2014507193.tif 000012
【図８】
2014507193.tif 000013
【図９】
2014507193.tif 000014
【国際調査報告】
2014507193.tif 000015
2014507193.tif 000016